(57)【要約】【目的】本発明は、安全性、持続性、省エネルギー性、子供らの知らぬ内に発光量がもとに戻る「面白さ」の等の観点で改良された持続的増減発光可能な玩具及びその使用方法を提供することを目的とする．【構成】少なくとも蓄光材料を含む材料と、ブラックライトと、ブラックライトを光らせる間歇的発光電源回路部との組み合わせからなることを特徴とする増減発光可能な玩具とそれを特定の使い方をする。【効果】色々な用途に使える上記目的の玩具が達成できた。【選択図】  なし【特許請求の範囲】
【請求項１】
玩具において、少なくとも蓄光材料を含む材料と、ブラックライトと、ブラックライトを光らせる間歇的発光電源回路部との組み合わせからなることを特徴とする増減発光可能な玩具。
【請求項２】
玩具において、少なくとも蓄光材料と、ブラックライトと、ブラックライトを光らせる間歇的発光電源回路部との組み合わせからなり、少なくともブラックライトが発光ダイオードからなることを特徴とする増減発光可能な玩具。
【請求項３】
玩具において、少なくとも蓄光材料と、ブラックライトと、ブラックライトを光らせる間歇的発光電源回路部との組み合わせからなり、少なくとも移動可能な電源部を有することを特徴とする増減発光可能な玩具。
【請求項４】
玩具において、少なくとも蓄光材料と、ブラックライトと、ブラックライトを光らせる間歇的発光電源回路部との組み合わせからなり、少なくとも移動可能な電源部を有し、光電池であることを特徴とする増減発光可能な玩具。
【請求項５】
玩具の使用方法において、少なくとも蓄光材料を含む材料と、ブラックライトと、ブラックライトを光らせる間歇的発光電源回路部との組み合わせからなる物を、ガイド灯用途、飾り用途、確認用途、識別用途、広告用途、鳥獣の脅し用途、音楽との組み合わせ用途から選ばれたことを特徴とする増減発光可能な玩具の使用方法。
【請求項６】
玩具成型品であって、ブラックライト成分を主体とする発光ダイオードが、蓄光材料で、過半が覆われてなり、ブラックライトを光らせる間歇的発光電源回路部との組み合わせからなることを特徴とする増減発光可能な成型品。
【発明の詳細な説明】
【産業上の利用分野】本願発明は増減発光可能な新規な玩具に関するもので、蓄光材料を用い、間歇的ブラックライトにより増減発光可能な持続タイプのものにに関するものである。
【従来の技術】
【０００１】
従来、蓄光材料で、玩具を作ることは知られている。発光を継続するためには、放射性材料がある。しかし放射線を出す物質を入れたものは人体に危険である。蓄光材料をブラックライトで発光させることは、特開平０７−１７４８６６や、特開２０００−０６７６２８、特開２００１−３１２２３５で、「平面表示」が知られている。
【０００２】
ブラックライトでも大容量のものは、目に危険である。しかし玩具としては実質的なミニチュアの立体形態で、犬、猫、玉、熊、パンダ、勾玉など愛玩形態のものを蓄光材料で作る必要があり、連続に近い増減発光可能な玩具がなかった。安全性、持続性、省エネルギー性、特に明るさが減じてしまう欠点があった。そのため、変化が無く重要な「面白さ」等の観点で、不満足な点、欠点、限界があった。
【０００３】
【発明が解決しようとする課題】
本発明者は上記の欠点や限界のない増減発光可能な持続タイプの玩具について鋭意検討した結果、次の発明に到達した。特に安全性、持続性、省エネルギー性、「面白さ」  「不思議さ」と、小型化可能品を提供することを目的とする。
【０００４】
【課題を解決するための手段】
本願の骨子は次のとおりである。
（１）玩具において、少なくとも蓄光材料を含む材料と、ブラックライトと、ブラックライトを光らせる間歇的発光電源回路部との組み合わせからなることを特徴とする増減発光可能な玩具である。
【０００５】
（２）玩具において、少なくとも蓄光材料と、ブラックライトと、ブラックライトを光らせる間歇的発光電源回路部との組み合わせからなり、少なくともブラックライトが発光ダイオードからなることを特徴とする増減発光可能な玩具である。
【０００６】
（３）玩具において、少なくとも蓄光材料と、ブラックライトと、ブラックライトを光らせる間歇的発光電源回路部との組み合わせからなり、少なくとも移動可能な電源部を有することを特徴とする増減発光可能な玩具である。
【０００７】
（４）玩具において、少なくとも蓄光材料と、ブラックライトと、ブラックライトを光らせる間歇的発光電源回路部との組み合わせからなり、少なくとも移動可能な電源部有し、光電池であることを特徴とする増減発光可能な玩具である。また、玩具の使用方法において、少なくとも蓄光材料を含む材料と、ブラックライトと、ブラックライトを光らせる間歇的発光電源回路部との組み合わせからなる物を、ガイド灯用途、飾り用途、確認用途、識別用途、広告用途、鳥獣の脅し用途、音楽との組み合わせ用途から選ばれたことを特徴とする増減発光可能な玩具の使用方法である。また玩具成型品であって、ブラックライト光成分を主体とする発光ダイオードが、蓄光材料で、過半が覆われてなり、ブラックライトを光らせる間歇的発光電源回路部との組み合わせからなることを特徴とする増減発光可能な成型品である。
【０００８】
蓄光材料としては．蓄光材料を含む材料と等価にここでは扱っている。透明ゴム、プラスチック、ガラスなどに混合したものも含む。いずれもブラックライトで発光量が増すからである。ブラックライトとしては、発光ダイオード（ＬＥＤ＝Ｌｉｇｈｔ  Ｅｍｉｔｔｉｎｇ  Ｄｉｏｄｅ）、が好ましい。少々の可視光を含んでいても過半のエネルギーが可視光でなければ、何ら差し支えない。ブラックライトは、蓄好材料を効果的に光らせるのに優れている。その波長は、３２０−４１０ｎｍ（例：２シグマで表示）のが、好ましい．これは、紫外線ＬＥＤとも呼ばれる。
ライトは、下から、上から、横から、斜めから、如何様にも当てることができるが、飾りの中に隠し埋め込むことが、好ましい。特に蛍光発光部の中に埋め込むこと（過半を覆うこと）が、特に好ましい（但しリード線は出す）。これは、目に対する安全性の観点からも好ましいのである。光電池（ここでは太陽電池と称する）としては、電卓や、パソコンに用いられている光電池が用いられる。間歇としては、１秒から３０分の間歇が好ましい。間歇はランダムでもよい。間歇は音楽や音のメロディにあわせた間歇でもよい。メロディ素子を用いて通電のとき音楽等が流れるようにしてもよい。間歇手法（間隔大きく、照射時間小故）により電池寿命近く使え、半永久的に近いものと言えよう。
【０００９】
間歇的電源供給部としては、コンデンサー、抵抗等の組み合わせによる充放電回路を利用し、その容量に応じて間欠性を持たせるもの、ＩＣチップやマイクロコンピュータを用いてプログラムに従い間歇性や、不規則性を持たせる方法が好ましい。
【００１０】
本発明品は，玩具用途、ガイド灯用途、飾り用途、確認用途、識別用途、広告用途、鳥、犬、猫の脅用途、音楽との組み合わせ用途．等に好ましく用いられる。
【００１１】
【実施例】
以下の実施例により、本発明を更に詳細に説明する。しかし、本実施例により、本発明の有効性が，限定解釈されるものではない。
実施例１．
エルティーアイ株式会社製（〒６１２−８４５０京都市伏見区竹田鳥羽殿町一番地）高輝度蓄光材料（アルカリ土類金属アルミン酸塩を基質とする蓄光性蛍光紛とされる、輝度は約１０分で半減）を透明ゴムに混合して蛙に見立てたモデルを置いた。これを浮き草のモデルに乗せ、蛙が水草の上に座っている様に色付けし、台の上にセットした。その台の中にブラックライト発光ダイオード（台湾サンダー社製、約５Φｍｍ、長さ約９ｍｍ）をセットし蛙に光が当たる様に向けた。このダイオードは、電圧６ボルト（２０ミリアンペア）で、約１秒光らせた．間歇電気システムは、４ビットマイコン（１０ｍｍ×１０ｍｍ）制御方式で、５分後繰り返し方式を採った。
【００１２】
これを薄暗い部屋で観察した．この高輝度の蛙は、それまでに蛍光灯からエネルギーを吸収していたので、始めは青緑白系の色に光っていたが、やがて輝度が低下した。電池を働かせ下部からブラックライトを約１秒当てた．このブラックライトは、完全なブラックではなく、かなり紫かかった白色に見える部分を持つ光であった。蛙は再び輝き、最初は急激にやがて徐々に輝度が低下した。これの繰り返し機能を働かせた．これは玩具として大変面白いものと判断できた。
【００１３】
【発明の効果】
【効果Ａ】消費電力が大幅に少ない。
【効果Ｂ】増減はあるが光り続けるので面白い。
【効果Ｃ】暗闇でのガイド灯代わりにも使える。
【効果Ｄ】小形にできる。（埋め込まれているのに気づかない程にできる）
【効果Ｅ】知らぬ間にエネルギーが供給されると魔法のように面白く見える
【効果Ｆ】電圧が小さいので安全である。
【効果Ｇ】太陽電池と組み合わせ、半永久的に使える。
【効果Ｈ】光の増減があるので、面白い。単調さが無い。